(57)【要約】【課題】本発明は、通信装置の初期通信環境を仲介装置内でカストマイズし、計算機内に自動的に設定することにより、専門知識を持たないユーザがインターネットによるデータ通信を簡単に利用できる通信システムを提供することを目的とする。【解決手段】通信装置と、仲介装置と、他のプロバイダとから構成される通信システムにおける初期通信環境のカストマイズ方法であって、仲介装置は、他のプロバイダに接続させるための初期通信環境に関するデータを生成するカストマイズステップを実行し、通信装置は、仲介装置に接続し、生成した初期通信環境に関するデータをダウンロードするステップと、ダウンロードした初期通信環境に関するデータを通信装置内に自動的に設定するステップとを実行することにより上記課題を解決する。【選択図】図１
2007074757.tif 000002
【特許請求の範囲】
【請求項１】
通信装置と、該通信装置とインターネットを介したデータ通信を行う仲介装置と、他のプロバイダとから構成される通信システムにおける初期通信環境のカストマイズ方法であって、
前記仲介装置は、
前記通信装置が接続されると、他のプロバイダに接続させるための初期通信環境に関するデータを生成する際に必要となる所定の情報を記憶した情報記憶手段に基づいて該通信装置の初期通信環境に関するデータを生成するカストマイズステップを実行し、
前記通信装置は、
前記仲介装置に接続し、該仲介装置の前記カストマイズステップで生成した初期通信環境に関するデータをダウンロードする通信装置ダウンロードステップと、
前記通信装置ダウンロードステップでダウンロードした初期通信環境に関するデータを通信装置内に自動的に設定するデータ設定ステップと
を実行することを特徴とする初期通信環境のカストマイズ方法。
【請求項２】
前記仲介装置は、
前記通信装置が接続されると、該通信装置とシステム情報の授受を行う仲介装置会話ステップと、
前記仲介装置会話ステップで授受を行ったシステム情報に基づき前記情報記憶手段から所定の情報を検索して抽出する検索ステップと
を更に実行し、
前記カストマイズステップは、
前記検索ステップで抽出した所定の情報に基づき前記通信装置の初期通信環境に関するデータを生成することを特徴とする請求項１記載の初期通信環境のカストマイズ方法。
【請求項３】
前記カストマイズステップは、
前記通信端末での、初期通信環境をカストマイズするための特定のボタンの利用者の押下に基づいて該通信装置が接続されると、初期通信環境に関するデータを生成する際に必要となる所定の情報を記憶した情報記憶手段に基づいて該通信装置の初期通信環境に関するデータを生成することを特徴とする請求項１記載の初期通信環境のカストマイズ方法。
【請求項４】
通信装置と、該通信装置とインターネットを介したデータ通信を行う仲介装置と、他のプロバイダとから構成される通信システムにおける初期通信環境のカストマイズ方法であって、
前記通信装置が、
前記仲介装置に接続し、該仲介装置における、前記通信装置の接続に応じて他のプロバイダに接続させるための初期通信環境に関するデータを生成する際に必要となる所定の情報を記憶した情報記憶手段に基づいて該通信装置の初期通信環境に関するデータを生成するカストマイズステップで生成された、初期通信環境に関するデータをダウンロードする通信装置ダウンロードステップと、
前記通信装置ダウンロードステップでダウンロードした初期通信環境に関するデータを通信装置内に自動的に設定するデータ設定ステップと
を実行することを特徴とする初期通信環境のカストマイズ方法。
【請求項５】
通信装置と、該通信装置とインターネットを介したデータ通信を行う仲介装置と、他のプロバイダとから構成される通信システムにおいて実行される初期通信環境のカストマイズプログラムを記憶したコンピュータ読み取り可能な記憶媒体であって、
前記カストマイズプログラムは、
前記仲介装置を、
前記通信装置が接続されると、他のプロバイダに接続させるための初期通信環境に関するデータを生成する際に必要となる所定の情報を記憶した情報記憶手段に基づいて該通信装置の初期通信環境に関するデータを生成するカストマイズ手段として機能させ、
前記通信装置を、
前記仲介装置に接続し、該仲介装置の前記カストマイズステップで生成した初期通信環境に関するデータをダウンロードする通信装置ダウンロード手段と、
前記通信装置ダウンロード手段でダウンロードした初期通信環境に関するデータを通信装置内に自動的に設定するデータ設定手段と
として機能させる初期通信環境のカストマイズプログラムを記憶したコンピュータ読み取り可能な記憶媒体。
【請求項６】
前記仲介装置を、
前記通信装置が接続されると、該通信装置とシステム情報の授受を行う仲介装置会話手段と、
前記仲介装置会話手段で授受を行ったシステム情報に基づき前記情報記憶手段から所定の情報を検索して抽出する検索手段として機能させ、
前記カストマイズ手段は、
前記検索手段で抽出した所定の情報に基づき前記通信装置の初期通信環境に関するデータを生成することを特徴とする請求項５記載の初期通信環境のカストマイズプログラムを記憶したコンピュータ読み取り可能な記憶媒体。
【請求項７】
前記カストマイズ手段は、
前記通信端末での、初期通信環境をカストマイズするための特定のボタンの利用者の押下に基づいて該通信装置が接続されると、初期通信環境に関するデータを生成する際に必要となる所定の情報を記憶した情報記憶手段に基づいて該通信装置の初期通信環境に関するデータを生成することを特徴とする請求項５記載の初期通信環境のカストマイズプログラムを記憶したコンピュータ読み取り可能な記憶媒体。
【請求項８】
通信装置及び他のプロバイダとインターネットを介したデータ通信を行う仲介装置であって、
他のプロバイダに接続させるための初期通信環境に関するデータを生成する際に必要となる所定の情報を記憶する情報記憶手段と、
前記通信装置が接続されると、前記情報記憶手段に記憶した所定の情報に基づいて該通信装置の初期通信環境に関するデータを生成するカストマイズ手段と、
前記カストマイズ手段で生成した初期通信環境に関するデータを前記通信装置にダウンロードして前記通信装置内のデータ設定手段に初期通信環境に関するデータを自動的に設定させる通信装置ダウンロード手段と
を備えることを特徴とする仲介装置。
【請求項９】
前記通信装置が接続されると、該通信装置とシステム情報の授受を行う仲介装置会話手段と、
前記情報記憶手段から前記仲介装置会話手段で授受を行ったシステム情報に基づき所定の情報を検索して抽出する検索手段とを更に備え、
前記カストマイズ手段は、
前記検索手段で抽出した所定の情報に基づき前記通信装置の初期通信環境に関するデータを生成することを特徴とする請求項８記載の仲介装置。
【請求項１０】
前記カストマイズ手段は、
前記通信端末での、初期通信環境をカストマイズするための特定のボタンの利用者の押下に基づいて該通信装置が接続されると、前記情報記憶手段に記憶した所定の情報に基づいて該通信装置の初期通信環境に関するデータを生成することを特徴とする請求項８記載の仲介装置。
【請求項１１】
通信装置と、該通信装置とインターネットを介したデータ通信を行う仲介装置と、他のプロバイダとから構成される通信システムであって、
前記仲介装置は、
他のプロバイダに接続させるための初期通信環境に関するデータを生成する際に必要となる所定の情報を記憶する情報記憶手段と、
前記通信装置が接続されると、前記情報記憶手段に記憶した所定の情報に基づいて該通信装置の初期通信環境に関するデータを生成するカストマイズ手段とを備え、
前記通信装置は、
前記仲介装置に接続し、該仲介装置の前記カストマイズ手段で生成した初期通信環境に関するデータをダウンロードする通信装置ダウンロード手段と、
前記通信装置ダウンロード手段でダウンロードした初期設定環境に関するデータを通信装置内に自動的に設定するデータ設定手段と
を備えることを特徴とする通信システム。
【発明の詳細な説明】
【技術分野】
【０００１】
本発明は、インターネットによるデータ通信を行う仲介装置と、ダイヤルアップ接続により仲介装置と接続する通信装置から構成される通信システムにおいて、仲介装置にてカストマイズされた初期通信環境に関するデータを通信装置内に自動的に設定する通信システム、及び初期通信環境に関するデータのカスタマイズ方法に関する。
【背景技術】
【０００２】
従来、ダイヤルアップ接続によりインターネットを利用したデータ通信を行う場合、通信装置としての、例えば、計算機の利用者は、最寄りの、または利用を希望する仲介装置としての、例えば、プロバイダに申し込みを行う。
【０００３】
申し込み後、計算機の利用者は、プロバイダからメール、またはＣＤ−ＲＯＭ、フロッピーディスク等（「フロッピー」は登録商標）の記憶媒体により、計算機の初期通信環境の設定に関する情報一式を受け取る。
【０００４】
そこで、計算機の利用者は、受け取った計算機の初期通信環境の設定に関する情報に基づいて、計算機上で初期通信環境をカストマイズしている。
【発明の開示】
【発明が解決しようとする課題】
【０００５】
しかしながら、従来の通信システムにおいて、ダイヤルアップ接続によりインターネットを利用したデータ通信を行う場合、計算機の利用者は、マニュアル操作による初期通信環境のカストマイズが必要であり、そのため、カストマイズを実行するための計算機の専門知識を必要としていた。
【０００６】
本発明は、通信装置としての計算機の初期通信環境を仲介装置内でカストマイズし、更に計算機内に自動的に設定することにより、専門知識を持たないユーザがインターネットによるデータ通信を簡単に利用できる通信システムを提供する。
【課題を解決するための手段】
【０００７】
そこで、上記課題を解決するため、本発明の通信システムは、インターネットによるデータ通信を行う仲介装置と、ダイヤルアップ接続により仲介装置と接続する通信装置から構成される通信システムにおいて、通信装置の利用者が初期通信環境をカストマイズするための特定のボタンを押下することにより、仲介装置にて管理されている所定の情報に基づいて、初期通信環境に関するデータを生成するカストマイズ手段（後述する実施例のカストマイズ部２６、カストマイズ部６６、カストマイズ部１１３に相当）と、該カストマイズ手段にて生成された初期通信環境に関するデータを通信装置内に自動的に設定するデータ設定手段（後述する実施例の適用部１４、適用部５４、適用部１０７に相当）とを有する構成とする。
【０００８】
従って、本発明の通信システムによれば、通信装置としての計算機の初期通信環境を仲介装置内でカストマイズし、更に計算機内に自動的に設定することにより、専門知識を持たないユーザがインターネットによるデータ通信を簡単に利用できる。
【０００９】
また、本発明の通信システムの仲介装置は、初期通信環境に関するデータを生成する際に必要となる所定の情報を記憶する情報記憶手段（後述する実施例の情報データベース２５、情報データベース６５、情報データベース１１１に相当）と、該情報記憶手段にて記憶されている所定の情報を抽出する情報抽出手段（後述する実施例の抽出部２４、抽出部６４、抽出部１１２に相当）とを有する構成とする。
【００１０】
従って、本発明の通信システムは、情報記憶手段にて、例えば、ユーザの使用する計算機のシステム情報（使用機種、ＯＳ等）、ユーザの電話番号（市外局番）、プロバイダのアクセスポイントや、プロバイダ固有の情報であるドメイン名、サーバＩＰアドレス、接続アカウント、接続パスワード等が記憶され、情報抽出手段にて、所定の情報を抽出することにより、効率良くユーザが利用する計算機の初期通信環境に関するデータを生成できる。
【００１１】
また、本発明の通信システムの仲介装置及び通信装置は、前記仲介装置が、カストマイズ手段にて生成された初期通信環境に関するデータを通信装置に対して送信するデータ送信手段（後述する実施例のダウンロード部２８、ダウンロード部６８、ダウンロード部１１４に相当）を、前記通信装置が、仲介装置からの初期通信環境に関するデータを受信するデータ受信手段（後述する実施例のダウンロード部１３、ダウンロード部５３、ダウンロード部１０６に相当）を有する構成とする。
【００１２】
従って、本発明の通信システムは、データ送信手段及びデータ受信手段を有することにより、仲介装置からの初期通信環境に関するデータを、通信装置に対してスムーズにダウンロードできる。
【００１３】
また、本発明の通信システムの仲介装置は、通信装置からのシステム情報に基づいて、前記所定の情報を検索する検索手段（後述する実施例の検索部２２、検索部６２、検索部１１０に相当）を有する構成とする。
【００１４】
従って、本発明の通信システムは、検索手段を有することにより、初期通信環境に関するデータを生成するための情報が複数存在する場合に、最適な初期通信環境に関するデータを生成することができる。
【００１５】
また、本発明の通信システムの初期通信環境のカストマイズ方法は、インターネットによるデータ通信を行う仲介装置と、ダイヤルアップ接続により仲介装置と接続する通信装置から構成される通信システムの初期通信環境のカストマイズ方法において、通信装置の利用者が初期通信環境をカストマイズするための特定のボタンを押下することにより、仲介装置にて管理されている所定の情報に基づいて、初期通信環境に関するデータを生成するカストマイズステップ（後述する実施例のＳ１８に相当）と、該カストマイズステップにて生成された初期通信環境に関するデータを通信装置内に自動的に設定するデータ設定ステップ（後述する実施例のＳ２０に相当）とを有する方法とする。
【００１６】
従って、本発明の通信システムの初期通信環境のカストマイズ方法によれば、通信装置としての計算機の初期通信環境を仲介装置内でカストマイズし、更に計算機内に自動的に設定できるため、専門知識を持たないユーザがインターネットによるデータ通信を簡単に利用できる。
【００１７】
また、本発明の通信装置は、ダイヤルアップ接続により仲介装置と接続する通信装置において、仲介装置からの初期通信環境に関するデータを受信するデータ受信手段（後述する実施例のダウンロード部１３、ダウンロード部５３、ダウンロード部１０６に相当）と、該データ受信手段にて受信した初期通信環境に関するデータを通信装置内に自動的に設定するデータ設定手段（後述する実施例の適用部１４、適用部５４、適用部１０７に相当）を有する構成とする。
【００１８】
従って、本発明の通信装置によれば、仲介装置からの初期通信環境に関するデータを受信することにより、通信装置としての計算機の初期通信環境を計算機内で自動的に設定できるため、専門知識を持たないユーザがインターネットによるデータ通信を簡単に利用できる。
【００１９】
また、本発明の仲介装置は、通信装置からのダイヤルアップ接続によりインターネットによるデータ通信を行う仲介装置において、通信装置の利用者が初期通信環境をカストマイズするための特定のボタンを押下することにより、仲介装置にて管理されている所定の情報に基づいて、初期通信環境に関するデータを生成するカストマイズ手段（後述する実施例のカストマイズ部２６、カストマイズ部６６、カストマイズ部１１３に相当）と、該カストマイズ手段にて生成された初期通信環境に関するデータを通信装置に対して送信するデータ送信手段（後述する実施例のダウンロード部２８、ダウンロード部６８、ダウンロード部１１４に相当）とを有する構成とする。
【００２０】
従って、本発明の仲介装置によれば、カストマイズ手段にて生成した初期通信環境に関するデータを通信装置に対して送信でき、更に通信装置としての計算機の初期通信環境を計算機内で自動的に設定できるため、専門知識を持たないユーザがインターネットによるデータ通信を簡単に利用できる。
【００２１】
また、本発明の仲介装置は、初期通信環境に関するデータを生成する際に必要となる所定の情報を記憶する情報記憶手段（後述する実施例の情報データベース２５、情報データベース６５、情報データベース１１１に相当）と、該情報記憶手段にて記憶されている所定の情報を抽出する情報抽出手段（後述する実施例の抽出部２４、抽出部６４、抽出部１１２に相当）とを有する構成とする。
【００２２】
従って、本発明の仲介装置は、情報記憶手段にて、例えば、ユーザの使用する計算機のシステム情報（使用機種、ＯＳ等）、ユーザの電話番号（市外局番）、プロバイダのアクセスポイントや、プロバイダ固有の情報であるドメイン名、サーバＩＰアドレス、接続アカウント、接続パスワード等が記憶され、情報抽出手段にて、所定の情報を抽出することにより、効率良くユーザが利用する計算機の初期通信環境に関するデータを生成できる。
【００２３】
また、本発明の仲介装置は、通信装置からのシステム情報に基づいて、前記所定の情報を検索する検索手段（後述する実施例の検索部２２、検索部６２、検索部１１０に相当）を有する構成とする。
【００２４】
従って、本発明の仲介装置は、検索手段を有することにより、初期通信環境に関するデータを生成するための情報が複数存在する場合に、最適な初期通信環境に関するデータを生成することができる。
【００２５】
また、ダイヤルアップ接続により仲介装置と接続する処理をコンピュータに行わせるためのプログラムにおいて、本発明の記憶媒体に記憶されたプログラムは、仲介装置からの初期通信環境に関するデータを受信させるデータ受信ステップ（後述する実施例のＳ４、Ｓ１９に相当）と、
データ受信ステップにて受信した初期通信環境に関するデータを通信装置内に自動的に設定させるデータ設定ステップ（後述する実施例のＳ２０に相当）とを有するプログラムとする。
【００２６】
従って、本発明の記憶媒体に記憶されたプログラムによれば、仲介装置からの初期通信環境に関するデータを受信することにより、通信装置としての計算機の初期通信環境を計算機内で自動的に設定できるため、専門知識を持たないユーザがインターネットによるデータ通信を簡単に利用できる。
【００２７】
また、通信装置からのダイヤルアップ接続によりインターネットによるデータ通信を行わせるためのプログラムにおいて、本発明の記憶媒体に記憶されたプログラムは、情報記憶手段にて記憶されている所定の情報を抽出させる情報抽出ステップ（後述する実施例のＳ１７に相当）と、通信装置の利用者が初期通信環境をカストマイズするための特定のボタンを押下することにより、所定の情報に基づいて、初期通信環境に関するデータを生成させるカストマイズステップ（後述する実施例のＳ１８に相当）と、該カストマイズステップにて生成された初期通信環境に関するデータを通信装置に対して送信させるデータ送信ステップ（後述する実施例のＳ４、Ｓ１９に相当）とを有するプログラムとする。
【００２８】
従って、本発明の記憶媒体に記憶されたプログラムによれば、情報記憶手段にて、例えば、ユーザの使用する計算機のシステム情報（使用機種、ＯＳ等）、ユーザの電話番号（市外局番）、プロバイダのアクセスポイントや、プロバイダ固有の情報であるドメイン名、サーバＩＰアドレス、接続アカウント、接続パスワード等が記憶され、情報抽出ステップにて、所定の情報を抽出させることにより、効率良くユーザが利用する計算機の初期通信環境に関するデータを生成させることができる。
【００２９】
また、本発明の記憶媒体に記憶されたプログラムによれば、カストマイズステップにて生成された初期通信環境に関するデータを通信装置に対して送信でき、更に通信装置としての計算機の初期通信環境を計算機内で自動的に設定できるため、専門知識を持たないユーザがインターネットによるデータ通信を簡単に利用できる。
【００３０】
また、上記のプログラムにおいて、本発明の記憶媒体に記憶されたプログラムは、通信装置からのシステム情報に基づいて、前記所定の情報を検索させる検索ステップ（後述する実施例のＳ１６に相当）を有するプログラムとする。
【００３１】
従って、本発明の記憶媒体に記憶されたプログラムによれば、検索ステップを有することにより、初期通信環境に関するデータを生成させるための情報が複数存在する場合に、最適な初期通信環境に関するデータを生成させることができる。
【発明の効果】
【００３２】
上述の如く、本発明の通信システムによれば、ダイヤルアップ接続によりインターネットを利用したデータ通信を行う場合、通信装置の初期通信環境を仲介装置内でカストマイズし、更に通信装置内に自動的に設定できるため、通信装置の利用者は、従来のようにマニュアル操作による初期通信環境のカストマイズをしなくても良い。そのため、通信装置の利用者は、初期通信環境をカストマイズするための通信装置の専門知識を必要としない。
【００３３】
従って、本発明は、通信装置の初期通信環境を仲介装置内でカストマイズし、更に通信装置内に自動的に設定することにより、専門知識を持たないユーザがインターネットによるデータ通信を簡単に利用できる通信システムを提供することができる。
【発明を実施するための最良の形態】
【００３４】
以下、本発明の通信システム及び通信システムの初期通信環境のカストマイズ方法の実施例を図面に基づいて説明する。
【００３５】
図１は、本発明の通信システムの一実施例の構成図を示す。
【００３６】
図１において、通信システムは、公衆回線網を介して相互通信に必要な通信処理を行う通信装置としての計算機１と、公衆回線網を各通信装置との接続媒体としインターネットにより相互通信に必要な通信処理を行う仲介装置としてのプロバイダ２と、プロバイダ２とネットワーク１０を介して接続されるプロバイダ３及びプロバイダ４から構成され、専門知識を持たないユーザがインターネットによるデータ通信を簡単に利用できるように、通信装置としての計算機１の初期通信環境を自動的に設定する処理を実行する。
【００３７】
また、通信システムの計算機１は、通信部１１と会話部１２とダウンロード部１３と適用部１４から構成され、プロバイダ２は、通信部２１と検索部２２と会話部２３と抽出部２４と情報データベース２５とカストマイズ部２６とカストマイズデータ２７とダウンロード部２８から構成される。
【００３８】
通信部１１は、ネットワーク１０を介してプロバイダ２に計算機１の所在を通知する機能を有する。
【００３９】
会話部１２は、ネットワーク１０を介してプロバイダ２に計算機１のシステム情報を通知する機能を有する。
【００４０】
ダウンロード部１３は、プロバイダ２にてカストマイズされた初期通信環境に関するデータとしてのカストマイズデータ２７を計算機１にダウンロードする機能を有する。
【００４１】
適用部１４は、ダウンロード部１３にてダウンロードされた初期通信環境に関するデータを計算機１に設定する機能を有する。
【００４２】
通信部２１は、ネットワーク１０を介して通知される計算機１からの所在を受信する機能を有する。
【００４３】
検索部２２は、通信部２１にて受信する計算機１からの所在に基づいて、計算機１の最適な通信環境の情報を検索する機能を有する。
【００４４】
会話部２３は、ネットワーク１０を介して通知される計算機１からのシステム情報を受信する機能を有する。
【００４５】
抽出部２４は、検索部２２にて検索された最適な通信環境の情報からカストマイズ２７を生成するときに必要となる情報を抽出する機能を有する。
【００４６】
情報データベース２５は、ユーザの使用する計算機のシステム情報（使用機種、ＯＳ等）、ユーザの電話番号（市外局番）、プロバイダのアクセスポイントや、プロバイダ固有の情報であるドメイン名、サーバＩＰアドレス、接続アカウント、接続パスワード等が記憶されている。
【００４７】
カストマイズ部２６は、抽出部２４にて抽出された最適な通信環境の情報に基づいて、計算機１の初期通信環境に関するデータとしてのカストマイズデータ２７をカストマイズする機能を有する。
【００４８】
ダウンロード部２８は、カストマイズ部２６にてカストマイズされた初期通信環境に関するデータとしてのカストマイズデータ２７を計算機１にダウンロードする機能を有する。
【００４９】
上記のように構成される本実施例の通信システムがダイヤルアップ接続によりインターネットを利用したデータ通信を行う場合、計算機１の通信部１１は、代表のプロバイダとなる、例えば、プロバイダ２に電話をかけることによりネットワーク１０を接続し、計算機１の所在として、例えば、電話番号をプロバイダ２の通信部２１に対して通知する。
【００５０】
通信部２１にて計算機１からの電話番号を受信すると、検索部２２は、その電話番号に基づいて、情報データベース２５から最適な通信環境の情報として、例えば、プロバイダ３の通信環境の情報、またはプロバイダ４の通信環境の情報を検索する。この場合、計算機１に距離が近く通話料の安い、例えば、プロバイダ３の通信環境の情報が検索されたとする。
【００５１】
尚、検索部２２による最適な通信環境の情報の検索の際、計算機１のシステム情報として、例えば、計算機１で使用されているＯＳや機種が必要であれば、会話部１２と会話部２３間でシステム情報の授受を行い、検索部２２は、先に受信している電話番号とシステム情報に基づいて情報データベース２５から最適な通信環境の情報を検索する。
【００５２】
検索部２２による検索を終了後、抽出部２４は、検索されたプロバイダ３の通信環境の情報から必要な情報を抽出し、更にカストマイズ部２６は、抽出された情報に基づいて、計算機１の初期通信環境に関するデータとしてのカストマイズデータ２７を生成する。
【００５３】
生成されたカストマイズデータ２７は、ダウンロード部２８及びダウンロード部１３にてダウンロードされ、適用部１４によって計算機１に自動的に設定される。
【００５４】
本実施例の通信システムは、ダイヤルアップ接続によりインターネットを利用したデータ通信を行う場合、計算機１の初期通信環境をプロバイダ２内でカストマイズし、更に計算機１内に自動的に設定できるため、該計算機１の利用者は、従来のようにマニュアル操作による初期通信環境のカストマイズをしなくても良い。そのため、計算機１の利用者は、初期通信環境をカストマイズするための計算機１の専門知識を必要としない。
【００５５】
従って、本実施例の通信システムは、計算機１の初期通信環境をプロバイダ２内でカストマイズし、更に計算機１内に自動的に設定することにより、専門知識を持たないユーザがインターネットによるデータ通信を簡単に利用できる。
【００５６】
図２は、図１とは異なる通信システムの一実施例の構成図を示す。
【００５７】
図２において、通信システムは、公衆回線網を介して相互通信に必要な通信処理を行う通信装置としての計算機５と、公衆回線網を各通信装置との接続媒体としインターネットにより相互通信に必要な通信処理を行う仲介装置としてのプロバイダ６と、プロバイダ６とネットワーク１０を介して接続されるプロバイダ７及びプロバイダ８から構成され、専門知識を持たないユーザがインターネットによるデータ通信を簡単に利用できるように、通信装置としての計算機５の初期通信環境を自動的に設定する処理を実行する。
【００５８】
また、通信システムの計算機５は、通信部５１とダウンロード部５３と適用部５４から構成され、プロバイダ６は、通信部６１と検索部６２と抽出部６４と情報データベース６５とカストマイズ部６６とカストマイズデータ６７とダウンロード部６８から構成され、計算機５の初期通信環境をプロバイダ６内でカストマイズし、更に計算機５内に自動的に設定する処理を実行する。
【００５９】
通信部５１は、ネットワーク１０を介してプロバイダ６に計算機５の所在を通知する機能を有する。
【００６０】
ダウンロード部５３は、プロバイダ６にてカストマイズされた初期通信環境に関するデータとしてのカストマイズデータ６７を計算機５にダウンロードする機能を有する。
【００６１】
適用部５４は、ダウンロード部５３にてダウンロードされた初期通信環境に関するデータを計算機５に設定する機能を有する。
【００６２】
通信部６１は、ネットワーク１０を介して通知される計算機５からの所在を受信する機能を有する。
【００６３】
検索部６２は、通信部６１にて受信する計算機５からの所在に基づいて、計算機５の最適な通信環境の情報を検索する機能を有する。
【００６４】
抽出部６４は、検索部６２にて検索された最適な通信環境の情報からカストマイズ６７を生成するときに必要となる情報を抽出する機能を有する。
【００６５】
情報データベース６５は、ユーザの使用する計算機のシステム情報（モデムの使用機種、ＯＳ等）、ユーザの電話番号（市外局番）、プロバイダのアクセスポイント等が記憶されている。
【００６６】
カストマイズ部６６は、抽出部６４にて抽出された最適な通信環境の情報に基づいて、計算機５の初期通信環境に関するデータとしてのカストマイズデータ６７をカストマイズする機能を有する。
【００６７】
ダウンロード部６８は、カストマイズ部６６にてカストマイズされた初期通信環境に関するデータとしてのカストマイズデータ６７を計算機５にダウンロードする機能を有する。
【００６８】
上記のように構成される本実施例の通信システムがダイヤルアップ接続によりインターネットを利用したデータ通信を行う場合、計算機５の通信部５１は、代表のプロバイダとなる、例えば、プロバイダ６に電話をかけることによりネットワーク１０を接続し、計算機５の所在として、例えば、電話番号'０３−ＸＸＸＸ−ＸＸＸＸ'をプロバイダ６の通信部６１に対して通知する。
【００６９】
通信部６１にて計算機５の電話番号'０３−ＸＸＸＸ−ＸＸＸＸ'を受信すると、検索部６２は、その電話番号に基づいて、情報データベース６５から最適な通信環境の情報として、例えば、プロバイダ７の情報データベース７１内の通信環境の情報、またはプロバイダ８の情報データベース８１内の通信環境の情報を検索する。この場合、計算機５に距離が近く通話料の安い、例えば、プロバイダ８の通信環境の情報が検索されたとする。
【００７０】
検索部６２による検索を終了後、抽出部６４は、検索されたプロバイダ８の情報データベース８１と、プロバイダ６の情報データベース６５から必要な情報を抽出し、更にカストマイズ部６６は、抽出された情報に基づいて、計算機５の初期通信環境に関するデータとしてのカストマイズデータ６７を生成する。尚、プロバイダ８の情報データベース８１と、プロバイダ６の情報データベース６５から必要な情報を抽出する場合、各プロバイダの抽出部が別々に必要な情報を抽出し、その後、カストマイズ部６６が抽出された情報をマージすることにより、計算機５の初期通信環境に関するデータとしてのカストマイズデータ６７を生成しても良い。
【００７１】
生成されたカストマイズデータ６７は、ダウンロード部６８及びダウンロード部５３にてダウンロードされ、適用部５４によって計算機５に自動的に設定される。
【００７２】
本実施例の通信システムは、ダイヤルアップ接続によりインターネットを利用したデータ通信を行う場合、計算機５の初期通信環境をプロバイダ６内でカストマイズし、更に計算機５内に自動的に設定できるため、該計算機５の利用者は、従来のようにマニュアル操作による初期通信環境のカストマイズをしなくても良い。そのため、計算機５の利用者は、初期通信環境をカストマイズするための計算機５の専門知識を必要としない。
【００７３】
従って、本実施例の通信システムは、計算機５の初期通信環境をプロバイダ６内でカストマイズし、更に計算機５内に自動的に設定することにより、専門知識を持たないユーザがインターネットによるデータ通信を簡単に利用できる。
【００７４】
また、図３は、図２の実施例で説明したプロバイダ６の情報データベース６５と、プロバイダ８の情報データベース８１の一例を示す図である。尚、プロバイダ７の情報データベース７１には、プロバイダ８の情報データベース８１と同様の情報が記憶されている。
【００７５】
プロバイダ６の情報データベース６５には、例えば、図３に示すようにプロバイダ７とプロバイダ８に関する共通情報及び振り分け情報が管理されている。共通情報としては、例えば、ユーザのシステム情報（使用機種、ＯＳ等）があり、振り分け情報としては、例えば、市外局番及びアクセスポイント等がある。
【００７６】
プロバイダ８の情報データベース８１には、プロバイダ８固有の情報である、例えば、ドメイン名、サーバＩＰアドレス、接続アカウント、パスワード等が管理されている。
【００７７】
図４、図５は、図１及び図２で説明した本実施例の通信システムの初期通信環境のカストマイズ方法の手順を示す。
【００７８】
図４において、通信システムは、公衆回線網を介して相互通信に必要な通信処理を行う通信装置としての計算機１０１と、公衆回線網を各通信装置との接続媒体としインターネットにより相互通信に必要な通信処理を行う仲介装置としてのプロバイダ１０２を有し、計算機１０１とプロバイダ１０２は、交換機１０３を介して接続される構成とし、専門知識を持たないユーザがインターネットによるデータ通信を簡単に利用できるように、通信装置としての計算機１０１の初期通信環境を自動的に設定する処理を実行する。
【００７９】
また、通信システムの計算機１０１は、プロバイダ１０２に接続を簡易化するボタン１０４と、通信部１０５と会話部１０８とダウンロード部１０６と適用部１０７から構成され、プロバイダ１０２は、通信部１０９と検索部１１０と会話部１１５と抽出部１１２と情報データベース１１１とカストマイズ部１１３とダウンロード部１１４から構成される。
【００８０】
通信部１０５は、通信部１１、５１と同様に、交換機１０３を介してプロバイダ１０２に計算機１０１の所在を通知する機能を有する。
【００８１】
会話部１０８は、会話部１２と同様に、交換機１０３を介してプロバイダ１０２に計算機１０１のシステム情報を通知する機能を有する。
【００８２】
ダウンロード部１０６は、ダウンロード部１３、５３と同様に、プロバイダ１０２にてカストマイズされた初期通信環境に関するデータとしてのカストマイズデータを計算機１０１にダウンロードする機能を有する。
【００８３】
適用部１０７は、適用部１４、５４と同様に、ダウンロード部１０６にてダウンロードされた初期通信環境に関するデータを計算機１０１に設定する機能を有する。
【００８４】
通信部１０９は、通信部２１、６１と同様に、交換機１０３を介して通知される計算機１０１からの所在を受信する機能を有する。
【００８５】
検索部１１０は、検索部２２、６２と同様に、通信部１０９にて受信する計算機１０１からの所在に基づいて、計算機１０１の最適な通信環境の情報を検索する機能を有する。
【００８６】
会話部１１５は、会話部２３と同様に、交換機１０３を介して通知される計算機１０１からのシステム情報を受信する機能を有する。
【００８７】
抽出部１１２は、抽出部２４、６４と同様に、検索部１１０にて検索された最適な通信環境の情報からカストマイズデータを生成するときに必要となる情報を抽出する機能を有する。
【００８８】
情報データベース１１１は、ユーザの使用する計算機のシステム情報（使用機種、ＯＳ等）、ユーザの電話番号（市外局番）、プロバイダのアクセスポイントや、プロバイダ固有の情報であるドメイン名、サーバＩＰアドレス、接続アカウント、接続パスワード等が記憶されている。
【００８９】
カストマイズ部１１３は、カストマイズ部２６、６６と同様に、抽出部１１２にて抽出された最適な通信環境の情報に基づいて、計算機１０１の初期通信環境に関するデータをカストマイズする機能を有する。
【００９０】
ダウンロード部１１４は、ダウンロード部２８、６８と同様に、カストマイズ部１１３にてカストマイズされた初期通信環境に関するデータとしてのカストマイズデータを計算機１０１にダウンロードする機能を有する。
【００９１】
尚、代表のプロバイダ１０２への接続は、計算機１０１による接続操作を簡易化するため、ボタン１０４を押下し、通信部１０５が予め設定されている電話番号を自動的にダイヤリングすることにより実行される。また、ダイヤリングは、ユーザに電話代を負担させないようにフリーダイヤルを利用することも可能である。
【００９２】
上記、図４のように構成される本実施例の通信システムがダイヤルアップ接続によりインターネットを利用したデータ通信を行う場合、計算機１０１の利用者がボタン１０４を押下することにより（Ｓ１１）、通信部１０５は、予め設定されている代表のプロバイダとなる、例えば、プロバイダ１０２の電話番号の自動ダイヤリングを実行する（Ｓ１２）。その際、通信部１０５は、交換機１０３の電話番号通知機能を利用し、計算機１０１の所在として、例えば、電話番号をプロバイダ１０２の通信部１０９に対して通知する（Ｓ１）。
【００９３】
通信部１０９にて計算機１０１からの電話番号を受信すると、検索部１１０は、その電話番号の市外局番または市内局番までの情報に基づいて、情報データベース１１１から最適な通信環境の情報を検索し、最寄りのプロバイダを決定する（Ｓ１３）。尚、交換機１０３の電話番号通知機能を利用できない場合は、会話部１１５と会話部１０８間で電話番号を通知する（Ｓ２、Ｓ３）。
【００９４】
ここで、プロバイダ１０２は、例えば、ダイヤル先の計算機１０１の電話番号を利用して、計算機１０１が専用の通信装置か、汎用の計算機かを判断する（Ｓ１４）。
【００９５】
計算機１０１が汎用の計算機の場合（Ｓ１４、ＮＯ）、検索部１１０による最適な通信環境の情報の検索の際、計算機１０１のシステム情報として、例えば、計算機１０１で使用されているＯＳや機種が必要であれば、会話部１１５と会話部１０８間でシステム情報の授受を行い（Ｓ１５）、検索部１１０は、先に受信している電話番号とシステム情報に基づいて情報データベース１１１から最適な通信環境の情報を検索する（Ｓ１６）。
【００９６】
検索を終了後、抽出部１１２は、決定された最寄りのプロバイダの通信環境の情報から必要な情報を抽出する（Ｓ１７）。
【００９７】
一方、計算機１０１が専用の通信装置の場合（Ｓ１４、ＹＥＳ）、抽出部１１２は、検索部１１０により決定された最寄りのプロバイダの通信環境の情報から必要な情報として、例えば、ドメイン名、ＩＰアドレス、アカウント、パスワード等の情報を抽出する（Ｓ１７）。
【００９８】
抽出部１１２にて最寄りのプロバイダの通信環境の情報から必要な情報を抽出後、カストマイズ部１１３は、その情報に基づいて、計算機１０１の初期通信環境に関するデータとしてのカストマイズデータを生成する（Ｓ１８）。
【００９９】
生成されたカストマイズデータは、ダウンロード部１１４及びダウンロード部１０６にてダウンロードされ（Ｓ４）（Ｓ１９）、適用部１０７によって計算機１０１に自動的に設定され（Ｓ２０）、更にプロバイダ１０２と計算機１０１のコネクションを切断する（Ｓ５）（Ｓ２１）。
【０１００】
本実施例の通信システムは、ダイヤルアップ接続によりインターネットを利用したデータ通信を行う場合、計算機１０１の初期通信環境をプロバイダ１０２内でカストマイズし、更に計算機１０１内に自動的に設定できるため、該計算機１０１の利用者は、従来のようにマニュアル操作による初期通信環境のカストマイズをしなくても良い。そのため、計算機１０１の利用者は、初期通信環境をカストマイズするための計算機１０１の専門知識を必要としない。
【０１０１】
従って、本実施例の通信システムは、計算機１０１の初期通信環境をプロバイダ１０２内でカストマイズし、更に計算機１０１内に自動的に設定することにより、専門知識を持たないユーザがインターネットによるデータ通信を簡単に利用できる。
【０１０２】
図６は、通信装置の利用者が初期通信環境をカストマイズするための特定のボタンを押下することにより、仲介装置内にて管理されている所定の情報に基づいて、初期通信環境に関するデータを生成する仲介装置の構成図を示す。
【０１０３】
図６において、仲介装置は、ＣＰＵを含む制御ユニット３０１とメモリユニット３０２と表示ユニット３０３と入力ユニット３０４とＣＤ−ＲＯＭドライブユニット３０５とディスクユニット３０６とを有している。これらの各ユニットは、システムバスＡを介して接続されている。
【０１０４】
制御ユニット３０１は、通信装置の利用者が初期通信環境をカストマイズするための特定のボタンを押下することにより、仲介装置内にて管理されている所定の情報に基づいて、初期通信環境に関するデータを生成するプログラムを実行する。
【０１０５】
メモリユニット３０２は、ＲＡＭ、ＲＯＭ等のメモリを含み、制御ユニット３０１が実行すべきプログラム、処理の過程で得られた必要なデータ等を記憶する。
【０１０６】
表示ユニット３０３は、ＣＲＴやＬＣＤ（液晶表示パネル）等で構成され、各種画面を表示する。
【０１０７】
入力ユニット３０４は、キーボード、マウス等で構成される。
【０１０８】
ＣＤ−ＲＯＭ４００には、仲介装置内にて管理されている所定の情報に基づいて、初期通信環境に関するデータを生成するプログラムが格納されている。
【０１０９】
ＣＤ−ＲＯＭドライブユニット３０５にセットされたＣＤ−ＲＯＭ４００からプログラムがディスクユニット３０６にインストールされる。そして、仲介装置を立ち上げるときにディスクユニット３０６から読み出されたプログラムがメモリユニット３０２に格納される。この状態で、制御ユニット３０１（ＣＰＵ）は、メモリユニット３０２に格納されたプログラムに従って、仲介装置内にて管理されている所定の情報に基づいて、初期通信環境に関するデータを生成する処理を実行する。
【０１１０】
尚、ＣＤ−ＲＯＭ４００にて仲介装置内にて管理されている所定の情報に基づいて、初期通信環境に関するデータを生成する処理を記述したプログラムを提供しているが、このプログラムの記憶媒体は、これに限定されることなく、システムを構成するコンピュータに応じて、フロッピーディスク等の磁気ディスク、光磁気ディスク、磁気テープ等の他の記憶媒体を用いることも可能である。
【０１１１】
図７は、仲介装置にて生成された初期通信環境に関するデータを自動的に設定する通信装置の構成図を示す。
【０１１２】
図７において、通信装置は、ＣＰＵを含む制御ユニット５０１とメモリユニット５０２と表示ユニット５０３と入力ユニット５０４とＣＤ−ＲＯＭドライブユニット５０５とディスクユニット５０６とを有している。これらの各ユニットは、システムバスＢを介して接続されている。
【０１１３】
制御ユニット５０１は、仲介装置にて生成された初期通信環境に関するデータを自動的に設定するプログラムを実行する。
【０１１４】
メモリユニット５０２は、ＲＡＭ、ＲＯＭ等のメモリを含み、制御ユニット５０１が実行すべきプログラム、処理の過程で得られた必要なデータ等を記憶する。
【０１１５】
表示ユニット５０３は、ＣＲＴやＬＣＤ（液晶表示パネル）等で構成され、各種画面を表示する。
【０１１６】
入力ユニット５０４は、キーボード、マウス等で構成される。
【０１１７】
ＣＤ−ＲＯＭ６００には、仲介装置にて生成された初期通信環境に関するデータを自動的に設定するプログラムが格納されている。
【０１１８】
ＣＤ−ＲＯＭドライブユニット５０５にセットされたＣＤ−ＲＯＭ６００からプログラムがディスクユニット５０６にインストールされる。そして、通信装置を立ち上げるときにディスクユニット５０６から読み出されたプログラムがメモリユニット５０２に格納される。この状態で、制御ユニット５０１（ＣＰＵ）は、メモリユニット５０２に格納されたプログラムに従って、仲介装置にて生成された初期通信環境に関するデータを自動的に設定する処理を実行する。
【０１１９】
尚、ＣＤ−ＲＯＭ６００にて仲介装置にて生成された初期通信環境に関するデータを自動的に設定する処理を記述したプログラムを提供しているが、このプログラムの記憶媒体は、これに限定されることなく、システムを構成するコンピュータに応じて、フロッピーディスク等の磁気ディスク、光磁気ディスク、磁気テープ等の他の記憶媒体を用いることも可能である。
【図面の簡単な説明】
【０１２０】
【図１】本発明の通信システムの構成図である。
【図２】本発明の通信システムの構成図である。
【図３】本発明の情報データベースで管理する情報の一例を示す図である。
【図４】通信システムの初期通信環境のカストマイズ方法を示す図である。
【図５】通信システムの初期通信環境のカストマイズ方法の手順を示すフローチャートである。
【図６】代表となる仲介装置の構成図である。
【図７】通信装置の構成図である。
【符号の説明】
【０１２１】
１      計算機
２      プロバイダ
３      プロバイダ
４      プロバイダ
５      計算機
６      プロバイダ
７      プロバイダ
８      プロバイダ
１０    ネットワーク
１１    通信部
１２    会話部
１３    ダウンロード部
１４    適用部
２１    通信部
２２    検索部
２３    会話部
２４    抽出部
２５    情報データベース
２６    カストマイズ部
２７    カスタマイズデータ
２８    ダウンロード部
５１    通信部
５３    ダウンロード部
５４    適用部
６１    通信部
６２    検索部
６４    抽出部
６５    情報データベース
６６    カストマイズ部
６７    カストマイズデータ
６８    ダウンロード部
７１    情報データベース
８１    情報データベース
１０１  計算機
１０２  プロバイダ
１０３  交換機
１０４  ボタン
１０５  通信部
１０６  ダウンロード部
１０７  適用部
１０８  会話部
１０９  通信部
１１０  検索部
１１１  情報データベース
１１２  抽出部
１１３  カスタマイズ部
１１４  ダウンロード部
１１５  会話部
３０１  制御ユニット
３０２  メモリユニット
３０３  表示ユニット
３０４  入力ユニット
３０５  ＣＤＲＯＭドライブユニット
３０６  ディスクユニット
４００  ＣＤＲＯＭ
【図１】
2007074757.tif 000003
【図２】
2007074757.tif 000004
【図３】
2007074757.tif 000005
【図４】
2007074757.tif 000006
【図５】
2007074757.tif 000007
【図６】
2007074757.tif 000008
【図７】
2007074757.tif 000009